(57)【要約】【課題】  光輝装飾体が、シンチレーションを起こし、十分な装飾効果が得られるイヤリングなどの装身具を提供する。【解決手段】  耳Ｙに直接取り付ける取付部材６と、上記取付部材６に直接的に連結された支持部材７と、上記支持部材７に揺動及び回転可能に吊り下げられた連結部材８と、上記連結部材８に固定された光輝装飾体１とからなるイヤリングなどの装身具を前提としている。そして、上記連結部材８及び光輝装飾体１を一体化して結合体Ｕを構成し、この結合体Ｕの重心Ｃと、この結合体Ｕを吊り下げたときの吊り下げ支点９とを通る直線に対して、上記連結部材８と光輝装飾体１との固定箇所１０がずれた位置に保たれる。この固定箇所１０に回転力が作用したときに、回転モーメントのアームの長さＬが確保される。【選択図】  図１
2018114258.tif 000002
【特許請求の範囲】
【請求項１】
身に取り付ける取付部材と、
上記取付部材に直接的又は間接的に連結された支持部材と、
上記支持部材に揺動及び回転可能に吊り下げられた連結部材と、
上記連結部材に固定された光輝装飾体とからなり、
上記連結部材及び光輝装飾体を一体化して結合体を構成し、この結合体の重心と結合体を吊り下げたときの吊り下げ支点とを通る直線に対して、上記連結部材と光輝装飾体との固定箇所がずれた位置に保たれた装身具。
【請求項２】
上記光輝装飾体は、台座にダイヤモンド等の光輝体を保持してなる請求項１に記載された装身具。
【請求項３】
上記光輝装飾体は、金属あるいは樹脂製の光輝体からなり、この光輝体を上記連結部材に直接固定してなる請求項１に記載された装身具。
【請求項４】
上記支持部材もしくは連結部材のいずれか一方又は両方には、吊り下げ支点に向かって先細りにされた突部が設けられ、上記突部が上記吊り下げ支点で点接触する請求項１〜３のいずれか１に記載された装身具。
【請求項５】
上記支持部材もしくは連結部材のいずれか一方又は両方はリング状に形成され、その内周には、中心に向かって先細りにした突部が設けられ、この突部の稜線が点接触して上記吊り下げ支点が構成される請求項１〜４のいずれか１に記載された装身具。
【発明の詳細な説明】
【技術分野】
【０００１】
本発明は、揺動可能に設けられた光輝装飾体を備えたイヤリングなどの装身具に関する。
【背景技術】
【０００２】
従来から、光を反射させて輝く光輝装飾体１を揺動可能に設けた装身具が知られている。
例えば、図７は、光輝装飾体１を揺動可能にしたイヤリングを示している。この従来のイヤリングは、断面円形の線材をリング状にした支持部材２が、耳に取り付けられる図示していない取付金具に固定されたもので、上記支持部材２には、断面円形の線材をリング状にした連結部材３が連環されている。
【０００３】
また、上記連結部材３には、光輝装飾体１が、固定箇所５で溶接によって固定されている。したがって、上記連結部材３及び光輝装飾体１を一体化した結合体Ｕが、上記支持部材２と連結部材３との接触位置を吊り下げ支点４として、揺動可能になる。
そして、このイヤリングでは、上記結合体Ｕが吊り下げ状態で静止しているとき、上記固定箇所５が、上記吊り下げ支点４と結合体Ｕの重心Ｃを通る直線Ｐとほぼ一致するようにしている。
【先行技術文献】
【特許文献】
【０００４】
【特許文献１】特開２０１１−１６０９２７号公報
【発明の概要】
【発明が解決しようとする課題】
【０００５】
上記した従来のイヤリングでは、上記固定箇所５が上記直線Ｐ上にあるので、上記直線Ｐを回転中心とする回転モーメントのアームの長さをほとんど確保できなかった。
また、イヤリングでは、それを耳から吊るしているだけなので、上記固定箇所５に作用する回転力は、通常は非常に小さい。
【０００６】
上記のように回転モーメントのアームの長さをほとんど確保できないことと、上記固定箇所５に作用する回転力が小さいこととが相まって、光輝装飾体１はほとんど回転しない。そのため、従来のイヤリングを耳に付けた状態では、光輝装飾体１は単に揺動を繰り返すという状態になっていた。結果的に、従来のイヤリングでは、単純な揺動の繰り返しだけで、光輝装飾体１がキラキラしにくいという問題があった。
【０００７】
一方、ジュエリー業界において、光を反射させて輝く光輝装飾体１は、光を細かく反射させるシンチレーションが望まれ、そのためには、光輝装飾体１の細かく複雑な動きが必要となる。しかし、従来のイヤリングのような揺動運動のみでは、このようなシンチレーションが起きにくく、期待通りの装飾効果が得られないという問題があった。
【０００８】
この発明の目的は、光輝装飾体が、シンチレーションを起こし、十分な装飾効果が得られる装身具を提供することである。
【課題を解決するための手段】
【０００９】
この発明は、身に取り付ける取付部材と、上記取付部材に直接的又は間接的に連結された支持部材と、上記支持部材に揺動及び回転可能に吊り下げられた連結部材と、上記連結部材に固定された光輝装飾体とからなるイヤリングなどの装身具を前提としている。
なお、この揺動及び回転可能とは、上記支持部材及び連結部材とが回転運動を起こせる範囲で、互いに干渉しあわない程度の形状や大きさを備えていることをいう。また、光輝装飾体とは、光を反射させて輝かせるものをいう。この光輝装飾体は、光輝体を台座で保持した構成でもよいし、光輝体に連結部材を直接固定できる場合には、光輝体だけで構成してもよい。
【００１０】
第１の発明は、上記連結部材及び光輝装飾体を一体化して結合体を構成し、この結合体の重心と、この結合体を吊り下げたときの吊り下げ支点とを通る直線に対して、上記連結部材と光輝装飾体との固定箇所がずれた位置に保たれたことに特徴がある。
【００１１】
第２の発明は、上記光輝装飾体が、台座にダイヤモンド等の光輝体を保持してなることに特徴がある。
第３の発明は、上記光輝装飾体が、金属あるいは樹脂製の光輝体からなり、この光輝体を上記連結部材に直接固定してなることに特徴がある。
【００１２】
第４の発明は、上記支持部材もしくは連結部材のいずれか一方又は両方には、吊り下げ支点に向かって先細りにされた突部が設けられ、上記突部が上記吊り下げ支点で点接触することに特徴がある。
なお、突部とは、針や山形、稜線など、互いに点接触できれば、どんな形状でもよい。
【００１３】
第５の発明は、上記支持部材もしくは連結部材のいずれか一方又は両方はリング状に形成され、その内周には、中心に向かって先細りにした突部が設けられ、この突部の稜線が点接触して上記吊り下げ支点が構成されることに特徴がある。
なお、リング状とは、無端形状であって、例えば、円形や楕円形、多角形、あるいはこれらの組み合わせ等、どのような形状でもよい。
【発明の効果】
【００１４】
第１の発明によれば、上記固定箇所が上記吊り下げ支点と結合体の重心とを通る直線からずれた位置にあるので、上記結合体を回転させる回転モーメントのアームの長さを長く取ることができる。このように、アームの長さを長くできるので、固定箇所に作用する回転力が非常に小さくても、光輝装飾体を回転させられるようになった。
また、光輝装飾体が回転しやすくなったので、回転運動が、揺動運動と組み合わされる。そのため、光輝装飾体が様々な方向に動くようになり、シンチレーションが起こって、十分な装飾効果が得られる。
【００１５】
第２の発明によれば、ダイヤモンド等の光輝体を連結部材に直接固定できない場合でも、台座を介して光輝体と連結部材とを一体化することができる。
【００１６】
第３の発明によれば、金属あるいは樹脂製の光輝体を上記連結部材に直接固定するので、上記光輝体と連結部材とを一体化させる工程が簡単になる。
【００１７】
第４の発明によれば、上記吊り下げ支点で支持部材と連結部材とが点接触するので、この吊り下げ支点の接触面積が小さくなって摩擦抵抗を小さくし、揺動運動と回転運動とが起こりやすくなる。さらに、揺れ動く時間も長くできる。
【００１８】
第５の発明によれば、上記支持部材もしくは連結部材のいずれか一方又は両方がリング状に形成され、その内周に稜線を備えているので、上記支持部材及び連結部材の接触位置がずれたとしても、吊り下げ支点で点接触を維持できる。
【図面の簡単な説明】
【００１９】
【図１】第１実施形態において、耳に取り付けたイヤリングの全体を示した正面図である。
【図２】第１実施形態において、連結部材の取付け位置を示した側面図である。
【図３】第１実施形態において、連結部材の取付け位置を示した正面図である。
【図４】第１実施形態において、回転運動を説明するための原理図である。
【図５】第２実施形態において、連結部材の取付け位置を示した側面図である。
【図６】第３実施形態において、支持部材と連結部材との連環位置を示した側面図である。
【図７】従来のイヤリングの装身具を示した正面図である。
【発明を実施するための形態】
【００２０】
図１〜４に、この発明の装身具の第１実施形態を示す。
図１に示すように、この装身具はイヤリングである。この第１実施形態では、耳Ｙに直接取り付ける取付部材６が設けられている。この取付部材６は、バネやネジなどで挟持力を発揮するＵ字状の取付金具であって、その両端で耳Ｙを挟んでいる。
なお、この第１実施形態では、Ｕ字状の取付金具が用いられているが、耳Ｙに取り付ける機能を備えていれば、どのようなものでも良い。例えば、耳Ｙを貫通するピアスや、耳Ｙにはめるイヤーカフスなどでも良い。
【００２１】
上記取付部材６には、リング状の支持部材７が揺動可能に連結される。この支持部材７は、図２に示すように、断面７ｂが四角形になっており、リングの内周で断面７ｂの角となる突部７ａがリングの中央に向かって設けられる。そして、上記支持部材７は、上記突部７ａが連続して稜線を形成している。
【００２２】
また、図１に示すように、上記支持部材７には、リング状の連結部材８が揺動及び回転可能に吊り下げられている。この揺動及び回転可能を実現するために、上記支持部材７及び連結部材８のリングが回転運動を起こせる範囲で、互いのリングが干渉しあわない程度の形状や大きさを備えている。この回転可能な範囲は、光を反射させて輝く光輝装飾体１の輝きに変化を与えることができる程度であれば良い。
【００２３】
さらに、この連結部材８は、図３のように、断面８ｂが四角形になっており、リングの内周で断面８ｂの角となる突部８ａがリングの中央に向かって設けられる。そして、上記連結部材８は、上記突部８ａが連続して稜線を形成している。
このように、第１実施形態では、互いのリングに形成された突部７ａ，８ａで稜線が形成されるので、支持部材７と連結部材８とが稜線同士で接触し、上記支持部材及び連結部材の接触位置がずれたとしても、吊り下げ支点９で点接触する構造になっている。
【００２４】
図２に示すように、この連結部材８には、ダイヤモンドからなる光輝体Ｄを台座１１で保持した光輝装飾体１が固定されている。そして、上記連結部材８は上記台座１１の側面側の固定箇所１０に溶接され、光輝体装飾体１と連結部材８とが一体化する。
ダイヤモンドからなる光輝体Ｄは、上記光輝体Ｄを連結部材８に直接固定できない場合でも、台座１１を介して光輝体Ｄと連結部材８とを一体化することができる。
このイヤリングを耳Ｙに取り付けたとき、この光輝装飾体１は、光輝装飾体１の正面１ａが顔の正面とほぼ同じ方向を向く。
【００２５】
また、上記連結部材８及び光輝装飾体１を一体化した結合体Ｕが、上記支持部材７に吊り下げられたとき、図３で示すように、上記結合体Ｕの重心Ｃと吊り下げ支点９とを通る直線Ｐ１に対して、上記固定箇所１０がずれた位置に保たれる。なお、図３は、光輝装飾体１の正面１ａから見た図である。そして、上記連結部材８のリングの内周に囲まれた面と、光輝装飾体１の正面１ａとがほぼ直交するように配置されている。
【００２６】
上記のように、第１実施形態では、光輝装飾体１が静止状態にあるとき、光輝装飾体１の正面１ａを見ると、図３のように連結部材８が鉛直線から傾斜する位置を保っている。
このような構成にしたので、後述する光輝装飾体１の回転運動が起こりやすくなった。
【００２７】
図４は、回転運動を解説するための天井から見た原理図である。点Ｐ１は、上記吊り下げ支点９と上記結合体Ｕの重心Ｃとを通る直線Ｐ１を示している。上記連結部材８と光輝装飾体１との固定箇所１０は、上記直線Ｐ１から離れた位置にある。点Ｐ１から４方に向かった矢印は、基本的な揺動方向を示している。
【００２８】
第１実施形態では、上記結合体Ｕを回転させるとき、上記吊り下げ支点９と結合体Ｕの重心Ｃを通る直線Ｐ１は、上記結合体Ｕの回転中心となる。
そして、上記固定箇所１０が直線Ｐ１からずれた位置にあるので、上記直線Ｐ１を回転中心として結合体Ｕを回転させる回転モーメントのアームの長さＬを長く取ることができる。このように、アームの長さＬを長くできるので、固定箇所１０に作用する回転力が非常に小さくても、光輝装飾体１を回転させられるようになった。
【００２９】
そして、イヤリングは耳Ｙに止められているので、光輝装飾体１には人の動きに起因する様々な方向の力が作用する。この力の中には、光輝装飾体１を、吊り下げ支点９と上記結合体Ｕの重心Ｃを通る直線Ｐ１を回転中心に回転させる力も含まれている。この力は、イヤリングではそれを耳から吊るしているだけなので、非常に小さい。
しかし、この第１実施形態では、上記直線Ｐ１を回転中心として結合体Ｕを回転させる回転モーメントのアームの長さＬを長く取ることができるので、回転力が小さくても回転運動が起こる。
【００３０】
この第１実施形態によれば、回転運動が揺動運動と組み合わされることによって、光輝装飾体１が様々な方向に動くようになり、シンチレーションが起きるようになった。このようなシンチレーションが起きれば、光輝装飾体１をより美しく見せることができる。
また、この第１実施形態は、突部７ａ，８ａの稜線同士が上記吊り下げ支点９で点接触するので、上記支持部材７と連結部材８との接触面積が小さくなって摩擦抵抗を小さくし、揺動運動と回転運動とが起きやすくなる。さらに、揺れ動く時間を長くできる。
【００３１】
なお、光輝装飾体１の揺動運動を容易に起こすために、特開２０１５−０５４１６２号に記載されたものが従来から知られている。この従来の装身具は、支持部材及び連結部材のリングの内周を、リングの中心に向けて先細りにして、互いの接触面積を小さくしているものである。しかし、連結部材と光輝装飾体との固定箇所が、吊り下げ支点と結合体の重心を通る直線、すなわち回転中心とほぼ一致しているので、第１実施形態のイヤリングと比べて光輝装飾体の回転運動が起こり難いものだった。
【００３２】
なお、第１実施形態では、上記支持部材７が上記取付部材６に揺動可能に連結されているが、上記支持部材７が取付部材６に固定されていても良い。
また、第１実施形態では、上記取付部材６に支持部材７が直接的に連結されているが、これらは間接的に連結されても良い。この間接的とは、取付部材６と支持部材７との間に、紐、鎖、リング状の部材あるいは棒部材など、さまざまな間接部材が取り付けられることをいう。デザインに応じて、さまざまな間接部材を使用できる。
【００３３】
さらに、第１実施形態では、支持部材７や連結部材８は、リング状の部材を用いたが、連結部材８が支持部材７に吊り下げられる関係を維持できれば、どのような形状でも良い。例えば、形状がかぎ状でも良いし、板状の部材に穴を形成しても良い。
また、この第１実施形態では、支持部材７及び連結部材８の両方に突部７ａ，８ａが設けられているが、支持部材７及び連結部材８のいずれか一方に突部７ａ，８ａを設けた構成でも良い。
【００３４】
加えて、この第１実施形態の突部７ａ，８ａは、リング状の稜線として説明をしたが、互いに点接触できれば、どんな形状でも良い。例えば、突部７ａ，８ａは、針や山形などでも良い。
また、支持部材７及び連結部材８のリングは、稜線を形成するために、断面７ｂ，８ｂが四角形の線材を用いたが、稜線を形成する形状は四角形に限らず、様々な多角形を用いることができる。さらに、稜線が形成されない、断面が円形や楕円形の線材を用いてもかまわない。
【００３５】
さらに、第１実施形態では、ダイヤモンドからなる光輝体Ｄと台座１１とを組み合わせて光輝装飾体１を構成しているが、光輝体Ｄに連結部材８を直接固定できる場合には、光輝体Ｄだけで光輝装飾体１を構成してもよい。光輝体Ｄに連結部材８を直接固定できるとは、例えば、連結部材８と光輝体Ｄとを金属製にしてそれらを直接溶接する場合、あるいは、光輝体Ｄを表面にメッキ加工を施した樹脂製にして、連結部材８と光輝体Ｄとを接着剤で直接接着する場合などが含まれる。さらには、連結部材８と光輝体Ｄとをネジ結合するようなものも含まれる。
【００３６】
このように、金属あるいは樹脂製の光輝体Ｄを連結部材８に直接固定するので、上記光輝体Ｄと連結部材８とを一体化させる工程が簡単になる。
また、光輝体Ｄは、それが回転運動をしたとき、キラキラ輝く機能を備えていれば、どのような材質あるいは形状のものを用いてもよい。
【００３７】
次に第２実施形態について説明をする。
図５に示す第２実施形態は、連結部材８と光輝装飾体１との固定箇所１０の位置が上記第１実施形態と異なるが、その他の構造は、上記第１実施形態と同じである。
【００３８】
この第２実施形態では、光を反射させて輝く光輝装飾体１はその正面１ａを顔の正面側とほぼ同じ方向に向けられて耳Ｙに取り付けられる。
そして、図５のように、リング状の連結部材８には、ダイヤモンドからなる光輝体Ｄを台座１１で保持した上記光輝装飾体１が固定されている。光輝体装飾体１と連結部材８との固定箇所１０は、光輝装飾体１の正面１ａに対向する台座１１の裏面に形成される。光輝体装飾体１と連結部材８とは、上記台座１１の上部側の固定箇所１０に溶接されて一体化している。
【００３９】
また、上記連結部材８及び光輝装飾体１を一体化した結合体Ｕが、上記支持部材７に吊り下げられたとき、図３で示すように、上記結合体Ｕの重心Ｃと吊り下げ支点９とを通る直線Ｐ１に対して、上記固定箇所１０がずれた位置に保たれる。なお、図５は、光輝装飾体１の側面１ｂ側から見た図である。
その他の作用効果は第１実施形態と同じである。
【００４０】
次に第３実施形態について説明をする。
図６に示す第３実施形態は、支持部材１２の配置が上記第１実施形態と異なるが、その他の構造は、上記第１実施形態と同じである。
この支持部材１２は、リングをほぼ半円状にした形状であって、耳Ｙに取り付ける取付部材６に水平に固定されている。そして、上記支持部材１２には、リング状の連結部材８が揺動及び回転可能に吊り下げられるとともに、上記連結部材８及び光輝装飾体１を一体化した結合体Ｕが設けられる。
【００４１】
また、この支持部材１２は、図６に示すように、断面１２ｂが四角形になっており、リングの上側に断面１２ｂの角となる突部１２ａが設けられている。そして、突部１２ａが連続して稜線を形成している。
この第３実施形態では、上記支持部材１２の突部１２ａの稜線と、上記連結部材８のリングの中央に向かって先細りにされた突部８ａの稜線とが、吊り下げ支点９で点接触する構造になっている。
【００４２】
このように、支持部材１２の突部１２ａの稜線が水平に設けられるので、連結部材８が支持部材１２に沿って水平方向に移動できる。この第３実施形態は、吊り下げ支点９の位置を水平方向に動かすことができるので、耳Ｙの向き等の個人差に応じて、光輝装飾体１の正面１ａを顔の正面と同じ方向に向けることができる。
また、支持部材１２の突部１２ａと連結部材８の突部８ａとの稜線同士が上記吊り下げ支点９で点接触するので、上記支持部材１２と連結部材８との接触面積が小さくなって摩擦抵抗を小さくし、揺動運動と回転運動とが起きやすくなる。
【００４３】
なお、第３実施形態の支持部材１２は、水平に取付部材６に設けられているが、連結部材８を支持部材１２に吊り下げることができれば、上記取付部材６に対してさまざまな角度で取り付けても良い。このように、取付部材６に対して角度をつけて支持部材１２を取り付ける場合には、支持部材１２の突部１２ａを上方に向けて、この突部１２ａの先端を吊り下げ支点９にすることが望ましい。
その他の作用効果は第１実施形態と同じである。
【００４４】
なお、本願は、イヤリングを実施形態として説明したが、光輝装飾体１のシンチレーションが起こる仕組みとして、ペンダントやブローチなどにも利用できる。
このようなペンダントやブローチなどに利用する場合には、光輝装飾体１の動きを妨げないように、支持部材７，１２と連結部材８の吊り下げ支点９が、身体より離れた位置に設けられる。このような条件を満たせは、どのような形状の取付部材を利用してもかまわない。
【産業上の利用可能性】
【００４５】
この発明は、光輝装飾体を美しく見せるイヤリングなどの装身具に最適である。
【符号の説明】
【００４６】
１…光輝装飾体、６…取付部材、７，１２…支持部材、７ａ，１２ａ…突部、８…連結部材、８ａ…突部、９…吊り下げ支点、１０…固定箇所、１１…台座、Ｙ…耳、Ｐ１，Ｐ２…直線、Ｄ…光輝体
【図１】
2018114258.tif 000003
【図２】
2018114258.tif 000004
【図３】
2018114258.tif 000005
【図４】
2018114258.tif 000006
【図５】
2018114258.tif 000007
【図６】
2018114258.tif 000008
【図７】
2018114258.tif 000009